(57)【要約】【課題】絵柄の分割を好適に行い、各領域の色情報を印刷制御に活用可能とする画像処理装置等を提供する。【解決手段】色調制御装置１（画像処理装置）は、オフセット印刷に用いる画像データのサイズを、画像データの画像の印刷物を撮影した撮影画像における、当該画像のサイズへと変換するサイズ変換手段１０１と、サイズ変換後の画像データについて、印刷が行われる領域である絵柄領域２１０を抽出する絵柄領域抽出手段１０２と、絵柄領域２１０の画素値を変換した後、絵柄領域２１０について輪郭線２２０の抽出を行う輪郭抽出手段１０３と、輪郭線２２０の膨張処理を行い、膨張処理後の輪郭線２２０に基づいて、絵柄領域２１０内の細領域２３０を抽出する細領域抽出手段１０４と、を有する。【選択図】図５
2015160420.tif 000002
【特許請求の範囲】
【請求項１】
オフセット印刷に用いる画像データのサイズを、前記画像データの画像を印刷した印刷物の撮影画像における、前記画像のサイズへと変換するサイズ変換手段と、
サイズ変換後の前記画像データについて、印刷が行われる領域である絵柄領域を抽出する絵柄領域抽出手段と、
前記絵柄領域の画素の値を変換した後、前記絵柄領域について輪郭線の抽出を行う輪郭抽出手段と、
前記輪郭線の膨張処理を行い、膨張処理後の前記輪郭線に基づいて、前記絵柄領域内の細領域を抽出する細領域抽出手段と、
を有することを特徴とする画像処理装置。
【請求項２】
前記画像データは、オフセット印刷機の版胴上の網点を示す刷版絵柄データをスクリーニング処理により作成する前の画像データであることを特徴とする請求項１記載の画像処理装置。
【請求項３】
前記輪郭抽出手段は、抽出した前記輪郭線の収縮処理を更に行うことを特徴とする請求項１または請求項２記載の画像処理装置。
【請求項４】
コンピュータが、
オフセット印刷に用いる画像データのサイズを、前記画像データの画像を印刷した印刷物の撮影画像における、前記画像のサイズへと変換するステップと、
サイズ変換後の前記画像データについて、印刷が行われる領域である絵柄領域を抽出するステップと、
前記絵柄領域の画素の値を変換した後、前記絵柄領域について輪郭線の抽出を行うステップと、
前記輪郭線の膨張処理を行い、膨張処理後の前記輪郭線に基づいて、前記絵柄領域内の細領域を抽出するステップと、
を実行することを特徴とする画像処理方法。
【請求項５】
コンピュータを、
オフセット印刷に用いる画像データのサイズを、前記画像データの画像を印刷した印刷物の撮影画像における、前記画像のサイズへと変換するサイズ変換手段と、
サイズ変換後の前記画像データについて、印刷が行われる領域である絵柄領域を抽出する絵柄領域抽出手段と、
前記絵柄領域の画素の値を変換した後、前記絵柄領域について輪郭線の抽出を行う輪郭抽出手段と、
前記輪郭線の膨張処理を行い、膨張処理後の前記輪郭線に基づいて、前記絵柄領域内の細領域を抽出する細領域抽出手段と、
して機能させるためのプログラム。
【請求項６】
コンピュータを、
オフセット印刷に用いる画像データのサイズを、前記画像データの画像を印刷した印刷物の撮影画像における、前記画像のサイズへと変換するサイズ変換手段と、
サイズ変換後の前記画像データについて、印刷が行われる領域である絵柄領域を抽出する絵柄領域抽出手段と、
前記絵柄領域の画素の値を変換した後、前記絵柄領域について輪郭線の抽出を行う輪郭抽出手段と、
前記輪郭線の膨張処理を行い、膨張処理後の前記輪郭線に基づいて、前記絵柄領域内の細領域を抽出する細領域抽出手段と、
して機能させるためのプログラムを記録した記録媒体。
【発明の詳細な説明】
【技術分野】
【０００１】
本発明は、画像データの処理を行いオフセット印刷機での印刷制御に活用する画像処理装置等に関する。
【背景技術】
【０００２】
オフセット輪転機やオフセット枚葉機などのオフセット印刷機で印刷を行う際には、色見本と印刷物を比較し、色見本どおりの好ましい色で印刷されているかチェックを行う場合がある。
【０００３】
このような色見本の例が特許文献１に示されている。特許文献１の例では、テスト印刷で印刷物を撮影した撮影画像から得られたルックアップテーブルをもとに、色見本の絵柄を印刷して撮像したときの絵柄ポイントの目標値を取得する。そして、色見本の絵柄を印刷して、その印刷物を撮影した撮影画像から絵柄ポイントの色を取得し、目標値に基づいて印刷制御を行い印刷物の色調を目標値へと合わせ込む。
【先行技術文献】
【特許文献】
【０００４】
【特許文献１】特開２０１１−２３０４１３号公報
【発明の概要】
【発明が解決しようとする課題】
【０００５】
しかしながら、特許文献１の例では、少数の絵柄ポイントの印刷色に基づいて色調整を行うので、色調整が不十分となったりする恐れがあった。
【０００６】
上記のような問題を解消する一つの方法として、色見本の絵柄をある程度の大きさを有する領域に分割し、領域ごとの色情報を取得することが考えられる。しかしながら、印刷制御の点から見て、どのようにして上記の領域分割を行えばよいかは明らかでない。例えば、単に絵柄に格子状の領域を重ね合わせ、当該領域により絵柄の分割を行うと、絵柄の形状によっては当該領域が絵柄からはみ出し、絵柄以外の印刷されない部分を含んでしまうことが考えられる。この場合、領域ごとの色情報を得ても印刷制御にうまく活用できない恐れがある。
【０００７】
本発明は、上記の問題に鑑みてなされたものであり、絵柄の領域分割を好適に行い、各領域の色情報を印刷制御に活用可能とする画像処理装置等に関する。
【課題を解決するための手段】
【０００８】
前述した目的を達成するための第１の発明は、オフセット印刷に用いる画像データのサイズを、前記画像データの画像を印刷した印刷物の撮影画像における、前記画像のサイズへと変換するサイズ変換手段と、サイズ変換後の前記画像データについて、印刷が行われる領域である絵柄領域を抽出する絵柄領域抽出手段と、前記絵柄領域の画素の値を変換した後、前記絵柄領域について輪郭線の抽出を行う輪郭抽出手段と、前記輪郭線の膨張処理を行い、膨張処理後の前記輪郭線に基づいて、前記絵柄領域内の細領域を抽出する細領域抽出手段と、を有することを特徴とする画像処理装置である。
【０００９】
本発明によれば、画像データの絵柄領域について、細領域への分割を好適に行い、細領域の色情報を、印刷物の撮影画像における細領域の色情報と対応付けて比較できるようになり、各種の印刷制御に活用可能となる。また絵柄領域のみの精度の高い領域分割を行い、分割された細領域ごとの色情報を取得することが可能になり、印刷制御を好適に行うことができる。さらに、細領域としては、輪郭線から若干離れた領域が抽出されるので、印刷時に周囲の色が影響することがなく、上記した色情報の比較等に好適である。
【００１０】
前記画像データは、オフセット印刷機の版胴上の網点を示す刷版絵柄データをスクリーニング処理により作成する前の画像データであることが望ましい。
これにより、各細領域の色情報を、網点面積率を要素として含むルックアップテーブルを用いた印刷制御等に適用できるようになる。
【００１１】
また、前記輪郭抽出手段は、抽出した前記輪郭線の収縮処理を更に行うことが望ましい。
これにより、輪郭抽出時に生じた不要な細かいエッジ部分の除去ができる。
【００１２】
第２の発明は、コンピュータが、オフセット印刷に用いる画像データのサイズを、前記画像データの画像を印刷した印刷物の撮影画像における、前記画像のサイズへと変換するステップと、サイズ変換後の前記画像データについて、印刷が行われる領域である絵柄領域を抽出するステップと、前記絵柄領域の画素の値を変換した後、前記絵柄領域について輪郭線の抽出を行うステップと、前記輪郭線の膨張処理を行い、膨張処理後の前記輪郭線に基づいて、前記絵柄領域内の細領域を抽出するステップと、を実行することを特徴とする画像処理方法である。
【００１３】
第３の発明は、コンピュータを、オフセット印刷に用いる画像データのサイズを、前記画像データの画像を印刷した印刷物の撮影画像における、前記画像のサイズへと変換するサイズ変換手段と、サイズ変換後の前記画像データについて、印刷が行われる領域である絵柄領域を抽出する絵柄領域抽出手段と、前記絵柄領域の画素の値を変換した後、前記絵柄領域について輪郭線の抽出を行う輪郭抽出手段と、前記輪郭線の膨張処理を行い、膨張処理後の前記輪郭線に基づいて、前記絵柄領域内の細領域を抽出する細領域抽出手段と、して機能させるためのプログラムである。
【００１４】
第４の発明は、コンピュータを、オフセット印刷に用いる画像データのサイズを、前記画像データの画像を印刷した印刷物の撮影画像における、前記画像のサイズへと変換するサイズ変換手段と、サイズ変換後の前記画像データについて、印刷が行われる領域である絵柄領域を抽出する絵柄領域抽出手段と、前記絵柄領域の画素の値を変換した後、前記絵柄領域について輪郭線の抽出を行う輪郭抽出手段と、前記輪郭線の膨張処理を行い、膨張処理後の前記輪郭線に基づいて、前記絵柄領域内の細領域を抽出する細領域抽出手段と、して機能させるためのプログラムを記録した記録媒体である。
【発明の効果】
【００１５】
本発明によれば、絵柄の領域分割を好適に行い、各領域の色情報を印刷制御に活用可能とする画像処理装置等を提供することができる。
【図面の簡単な説明】
【００１６】
【図１】色調制御装置１をオフセット輪転機５に適用した例を示す図
【図２】刷版絵柄データ２０３を示す図
【図３】インキ供給装置５１ｂを示す図
【図４】色調制御装置１のハードウェア構成を示す図
【図５】色調制御装置１の機能構成を示す図
【図６】ルックアップテーブル２００の例を示す図
【図７】スクリーニング前画像データ２０２、刷版絵柄データ２０３を示す図
【図８】領域分割時の画像処理の流れを示す図
【図９】サイズ変換について説明する図
【図１０】絵柄領域２１０を示す図
【図１１】領域分割について説明する図
【図１２】細領域２３０を示す図
【図１３】領域分割時の画像処理の流れを示す図
【発明を実施するための形態】
【００１７】
以下、図面を参照して本発明の実施形態を詳細に説明する。
【００１８】
［第１の実施形態］
（１．色調制御装置１）
図１は、本発明の画像処理装置の実施形態に係る色調制御装置１をオフセット輪転機５に適用した例を示す図である。本実施形態では、色調制御装置１（画像処理装置）が、オフセット輪転機５に設けられたオペレーションスタンド４やカメラ６に接続される。
【００１９】
オフセット輪転機５は、ロール状の用紙５０を巻出して搬送しつつ印刷等を行うオフセット印刷機である。オフセット輪転機５は、用紙５０を印刷部５１に供給する給紙部（不図示）、Ｃ（シアン）、Ｍ（マゼンタ）、Ｙ（イエロー）、Ｋ（ブラック）の印刷をそれぞれ行うユニット５１ａからなる印刷部５１、印刷後の用紙５０を乾燥させる乾燥部５２、乾燥後の用紙５０を冷却する冷却部５３、冷却後の用紙５０を切断し所定の大きさに折り畳む折部（不図示）、折り畳んだ後の用紙５０を所定位置まで搬送する排紙部（不図示）などからなる。
【００２０】
印刷部５１の各ユニット５１ａでは、ＣＭＹＫ各色の絵柄に応じて作成された版胴５１ｃに、対応する色のインキをインキ供給装置５１ｂから供給して用紙５０へ印刷を行う。版胴５１ｃは、ＣＭＹＫ各色の絵柄に対応する画線部と、それ以外の非画線部を有する。版胴５１ｃによる印刷時には、インキ供給装置５１ｂから供給されたインキが、各種ローラーによって版胴５１ｃの画線部に移される。搬送中の用紙５０に版胴５１ｃが接触しつつ回転することで、版胴５１ｃの画線部のインキが用紙５０に移されて印刷が行われる。
【００２１】
図１のオフセット輪転機５では、用紙５０の両面のそれぞれで版胴５１ｃによる印刷が行われる。なお、図では下面側の版胴５１ｃについてインキ供給装置５１ｂ等の図示を省略した。
【００２２】
版胴５１ｃは、刷版絵柄データに基づいて製造される。図２は刷版絵柄データ２０３を示す図である。刷版絵柄データ２０３は、版胴５１ｃ上の網点（ドット）２１２のパターンをデータ化したもので、版胴５１ｃの表面を展開したものに対応する。網点２１２は版胴５１ｃの画線部に対応する。刷版絵柄データ２０３は、ＣＭＹＫ各色の版胴５１ｃのそれぞれについて作成される。
【００２３】
図３（ａ）は、インキ供給装置５１ｂ付近を示す図である。インキ供給装置５１ｂは、インキ壺５１１にインキ５１０を蓄えたものである。インキ壺５１１の側方にはインキ元ローラー５１２が設けられ、下面にはインキキー５１３が設けられる。
【００２４】
インキ供給装置５１ｂでは、インキ元ローラー５１２を回転させつつ、インキキー５１３を矢印Ａに示す方向に動作させてインキ元ローラー５１２とインキキー５１３の隙間の大きさ（開度）を変化させる。これにより、インキ元ローラー５１２から各種ローラー５１４を経て版胴５１ｃへ供給されるインキ量を制御する。インキキー５１３の開度が大きい程、版胴５１ｃへのインキ供給量は多くなる。
【００２５】
本実施形態では、図３（ｂ）に示すように、インキ元ローラー５１２の長手方向に沿って複数のインキキー５１３が設けられる。各インキキー５１３の開度を個別に調整することで、各インキキー５１３に対応する版胴５１ｃ上のインキ供給範囲５１７ごとにインキ供給量の制御が可能である。インキキー５１３の開度を調整すると、対応するインキ供給範囲５１７で版胴５１ｃへのインキ供給量が変化し、インキ供給範囲５１７に対応する用紙５０の範囲に印刷される色（印刷色）が変化する。
【００２６】
図１の説明に戻る。カメラ６は、印刷後の用紙５０（印刷物）の撮影を継時的に行い、撮影画像を色調制御装置１に送信する。なお、本実施形態では用紙５０の両面を撮影する一対のカメラ６をオフセット輪転機５の冷却部５３に設けているが、これに限ることはない。例えば用紙５の一面のみに印刷を行う場合は当該面を撮影する１つのカメラ６のみ設ければよいし、カメラ６を設ける位置も冷却部５３に限ることはない。
【００２７】
色調制御装置１は、撮影画像における印刷物の印刷色を目標値と比較し、色調制御が必要とされる場合には、必要なインキキー変化量をルックアップテーブルを用いて求め、制御信号をオペレーションスタンド４に出力する。ルックアップテーブルについては後述する。
【００２８】
オペレーションスタンド４は、上記の制御信号に基づき、ＣＭＹＫ各色のユニット５１ａのインキキー５１３の開度を制御する。これによって、印刷色が目標値に近づけられる。なお、オペレーションスタンド４は、オペレーターの入力に応じてインキキー５１３の開度を制御することも可能である。
【００２９】
本実施形態の色調制御装置１は、上記のような色調制御を行う他、印刷を行う画像について絵柄の領域分割を行い、分割された細領域の色情報を印刷制御に使用する。本実施形態では、オフセット輪転機５で印刷する画像の例として、色見本を挙げて説明する。
【００３０】
図４を参照して、色調制御装置１のハードウェア構成について説明する。図に示すように、色調制御装置１は、制御部１１、記憶部１２、入力部１３、表示部１４、通信部１５等がバス１６を介して接続されたコンピュータ等で実現できる。ただし、色調制御装置１の構成がこれに限ることはない。
【００３１】
制御部１１は、ＣＰＵ、ＲＯＭ、ＲＡＭ等で構成される。ＣＰＵは、記憶部１２、ＲＯＭ、記憶媒体等に格納されるプログラムをＲＡＭ上のワークメモリ領域に呼び出して実行し、バス１６を介して接続された各部を駆動制御し、色調制御装置１が行う後述する処理を実現する。ＲＯＭは、不揮発性メモリであり、プログラムやデータ等を恒久的に保持している。ＲＡＭは、揮発性メモリであり、記憶部１２、ＲＯＭ、記憶媒体等からロードしたプログラム、データ等を一時的に保持するとともに、制御部１１が各種処理を行う為に使用するワークエリアを備える。
【００３２】
記憶部１２は、ハードディスクドライブ等であり、制御部１１が実行するプログラム、プログラム実行に必要なデータ等が格納される。プログラム等は、制御部１１のＣＰＵにより必要に応じて読み出されてＲＡＭに移され、各種の手段として実行される。
【００３３】
入力部１３は、色調制御装置１に対して操作指示、動作指示、データ入力等を行うためのもので、例えば、タッチパネル、キー等の入力装置を有する。
表示部１４は、液晶パネル等のディスプレイ装置、およびディスプレイ装置と連携して表示機能を実現するための論理回路等を有する。
【００３４】
通信部１５は、ネットワーク等を介した通信を媒介する通信インタフェースである。
バス１６は、各部間の制御信号、データ信号等の授受を媒介する経路である。
【００３５】
次に、図５を参照して、色調制御装置１の機能構成について説明する。図５に示すように、色調制御装置１は、サイズ変換手段１０１、絵柄領域抽出手段１０２、輪郭抽出手段１０３、細領域抽出手段１０４等を有する。
【００３６】
サイズ変換手段１０１は、色調制御装置１の制御部１１が、オフセット印刷に用いる画像データのサイズを、画像データの画像を印刷した印刷物の撮影画像における、当該画像のサイズに変換するものである。
【００３７】
本実施形態では、この画像データとして、前記の刷版絵柄データ２０３をスクリーニング処理によって作成する前の、スクリーニング前画像データを用いる。スクリーニング前画像データについては後述する。
【００３８】
絵柄領域抽出手段１０２は、色調制御装置１の制御部１１が、サイズ変換後の画像データについて、印刷が行われる領域である絵柄領域を抽出するものである。絵柄領域については後述する。
【００３９】
輪郭抽出手段１０３は、色調制御装置１の制御部１１が、絵柄領域の画素の画素値を変換した後、絵柄領域について輪郭線の抽出を行うものである。
【００４０】
細領域抽出手段１０４は、色調制御装置１の制御部１１が、輪郭線の膨張処理を行い、膨張処理後の輪郭線に基づいて、絵柄領域内の細領域を抽出するものである。
【００４１】
色調制御装置１はデータベース２と接続される。データベース２には、ルックアップテーブル２００、スクリーニング前画像データ２０２、刷版絵柄データ２０３などが記憶される。
【００４２】
ルックアップテーブル２００は、カメラ６で撮影した印刷物の印刷色と目標値との差に基づいてインキキー５１３の開度を制御し、印刷色を目標値に近づけるために使用される。ルックアップテーブル２００は、各色について、インキキー５１３の開度の変化量（単位インキキー変化量）と印刷色の変化量との関係を定めたものである。
【００４３】
図６はルックアップテーブル２００の例を示す図である。図６ではルックアップテーブル２００の一部を示す。ルックアップテーブル２００では、網点面積率で特定される色、および単位インキキー変化量ごとに、対応する印刷色の変化量が記録される。印刷色の変化量は、印刷物の撮影画像上でのＲＧＢ変化量として記述される。
【００４４】
網点面積率は、ＣＭＹＫ各色の網点２１２の大きさを百分率で示したものであり、この組み合わせにより色を特定する。図では例として１色を示しているが、ルックアップテーブル２００では、ＣＭＹＫ各色の網点面積率を複数段階で表し、これらの組み合わせによる全ての色について定められる。
【００４５】
単位インキキー変化量は、ＣＭＹＫ各色のユニット５１ａにおけるインキキー５１３の開度の単位変化量を示す。図では単位インキキー変化量の一部について示しているが、ルックアップテーブル２００では、ＣＭＹＫ各色のユニット５１ａのインキキー５１３の開度を単位量Ｘ（図の例ではＸ＝３）だけ大きくした場合、そのままの場合、単位量Ｘだけ小さくした場合の３４＝８１通りの組み合わせについて定められる。
【００４６】
ＲＧＢ変化量は、上記の網点面積率および単位インキキー変化量ごとに、対応する印刷色の変化量を記録したものである。すなわち、ＲＧＢ変化量は、網点面積率により定まる色について、ＣＭＹＫ各色のユニット５１ａのインキキー５１３の開度を単位量Ｘだけ大きくした場合、そのままの場合、単位量Ｘだけ小さくした場合、印刷物の撮影画像上のＲＧＢ値がどう変化するかを表している。
【００４７】
この他、ルックアップテーブル２００としては、網点面積率に対応させて、網点面積率で特定される色を基準の印刷条件下で印刷し撮影した時のＲＧＢ値に関する情報なども記録される。
【００４８】
図７は、スクリーニング前画像データ２０２、刷版絵柄データ２０３を模式的に示す図である。
【００４９】
スクリーニング前画像データ２０２は、０〜２５５階調のＣＭＹＫ値を持つ画像データである。
【００５０】
刷版絵柄データ２０３は、スクリーニング前画像データ２０２に対して公知のスクリーニング処理を行い、ＣＭＹＫの各値を、それぞれＣＭＹＫの網点２１２の大きさに変換したものである。ＣＭＹＫ値が大きい程、網点２１２は大きくなる。前記の網点面積率は、この大きさを最大値を１００として示したものである。刷版絵柄データ２０３はＣＭＹＫのそれぞれについて作成され、前記したようにＣＭＹＫ各色の版胴５１ｃの作成に用いられる。
【００５１】
（２．領域分割時の画像処理の流れ）
前記したように、本実施形態の色調制御装置１は、印刷を行う色見本の画像について絵柄の領域分割を行い、分割された細領域の色情報を印刷制御に使用する。以下、この領域分割時の画像処理の流れについて図８等を参照しながら説明する。図８は領域分割時の画像処理の流れを示す図であり、図のＳ１〜Ｓ１０は色調制御装置１の制御部１１が行う処理である。
【００５２】
本実施形態では、まず、色調制御装置１が、データベース２からスクリーニング前画像データ２０２を取得してサイズ変換を行い、そのサイズを、色見本の画像の印刷物をカメラ６によって撮影した撮影画像における、当該画像のサイズに合わせる（Ｓ１）。
【００５３】
すなわち、色見本の印刷物をカメラ６で撮影した撮影画像６１（図９（ａ）参照）における色見本の画像５０１のサイズと、スクリーニング前画像データ２０２のサイズは異なる。そこで、本実施形態では、図９（ｂ）に示すように、スクリーニング前画像データ２０２をサイズ変換し、そのサイズを撮影画像６１における画像５０１のサイズ（横：Ｘ、縦：Ｙ）に合わせる。
【００５４】
サイズ変換については公知の手法を種々適用でき、例えばアフィン変換を行うことができる。サイズ変換後のスクリーニング前画像データを図９（ｂ）の２０２’に示す。これにより、スクリーニング前画像データ２０２’と画像５０１とで後述する位置合わせが可能になる。
【００５５】
続いて、色調制御装置１は、サイズ変換後のスクリーニング前画像データ２０２’について、絵柄領域の抽出を行う（Ｓ２）。
【００５６】
Ｓ２では、例えば、スクリーニング前画像データ２０２’について（Ｃ、Ｍ、Ｙ、Ｋ）の値が（０、０、０、０）となる画素を、印刷が行われない非絵柄領域とし、残りの画素を印刷が行われる絵柄領域として抽出する。図１０は抽出された絵柄領域２１０を白で示したものである。
【００５７】
次に、色調制御装置１は、絵柄領域２１０のラベリングを行い、各絵柄領域２１０に領域番号ｎ（ｎ＝１、２、３…）を付与する（Ｓ３）。
【００５８】
そして、色調制御装置１は、スクリーニング前画像データ２０２’の絵柄領域２１０について、画素値の変換処理を行う（Ｓ４）。
【００５９】
この変換処理は、後述する輪郭抽出時に不要なエッジが抽出されるのを防ぎ、輪郭抽出を好適に行うためのものである。変換処理の具体例としては、K-means法や画像ピラミッド法、Watershedアルゴリズムなどの領域形成手法を用いて領域を形成し、この領域内の各画素の画素値（ＣＭＹＫ値）として同じ値を与えるものがある。
【００６０】
これらの方法は既知であるが簡単に説明すると、K-means法では、例えば各画素の元のＣＭＹＫ値を、予め用意した複数のＣＭＹＫ候補値のうち最も近いもので置き換える。そして、同じＣＭＹＫ候補値で置き換えられた画素の元のＣＭＹＫ値の平均値を算出し、当該平均値によって置き換えに用いたＣＭＹＫ候補値を更新する。そして、各画素の元のＣＭＹＫ値を、上記と同様にＣＭＹＫ候補値のうち最も近いもので再度置き換える。
【００６１】
以上の処理を繰り返すと、絵柄領域２１０内に、互いに異なるＣＭＹＫ値となる複数の領域が形成される。領域内のＣＭＹＫ値は同じとなり、図１１（ａ）に示すような不要なエッジ部分２１１が除去され、後述する輪郭抽出時において輪郭線として現れるのが防止される。変換処理後の絵柄領域２１０を図１１（ｂ）に模式的に示す。
【００６２】
なお、画素値の変換処理としては、平均化フィルタ、ガウスフィルタなどの各種フィルタによりぼかし処理を行うことも可能であり、この場合も輪郭抽出時に不要なエッジ部分が現れるのを防ぐことが可能である。例えば平均化フィルタでは、各画素のＣＭＹＫ値を、当該画素の近傍の所定領域内の画素のＣＭＹＫ値の平均等によって置き換える。
【００６３】
次に、色調制御装置１は、画素値変換後の絵柄領域２１０について、輪郭抽出処理を行う（Ｓ５）。
【００６４】
Ｓ５では、例えば絵柄領域２１０についてSobelフィルタ、Laplacianフィルタ、Cannyフィルタなどの公知のフィルタリング処理を行うことにより輪郭線の抽出を行うことができる。図１１（ｃ）に、絵柄領域２１０から抽出された輪郭線２２０の例を示す。ここでは輪郭線２２０を白の画素とし、その他を黒の画素としている。
【００６５】
次に、色調制御装置１は、輪郭線２２０の膨張処理を行う（Ｓ６）。
【００６６】
膨張処理については、公知の手法を種々適用可能である。例えば、各画素につき、その周囲８画素に一つでも輪郭線２２０の白の画素があれば、当該画素を白の画素とする処理を行う。これにより輪郭線２２０が膨張する。この膨張処理は必要数繰り返される。繰り返し回数は、カメラ６による撮影画像６１の解像度や、後述する画像５０１の位置合わせの精度に応じて定めることができる。膨張処理を施した後の輪郭線２２０の例を図１１（ｄ）に示す。
【００６７】
次に、色調制御装置１は、膨張処理後の画像図１１（ｄ）について、黒の画素が連結した細領域を抽出し（Ｓ７）、各細領域のラベリングを行う（Ｓ８）。
【００６８】
本実施形態では、図１１（ｅ）に示すように、輪郭線２２０で囲まれた領域、および、輪郭線２２０と絵柄領域２１０の外周部で囲まれた領域を細領域２３０として抽出し、各細領域２３０に領域番号ｍ（ｍ＝１、２、３…）を付与する。
【００６９】
以上の処理を、全ての絵柄領域２１０について行うまで（Ｓ９；Ｎ）繰り返す。全ての絵柄領域２１０について以上の処理により細領域２３０を抽出する（Ｓ９；Ｙ）と、色調制御装置１は、色情報として、スクリーニング前画像データ２０２’における各細領域２３０の網点面積率を取得する（Ｓ１０）。
【００７０】
Ｓ１０では、例えばスクリーニング前画像データ２０２’の絵柄領域２１０において、図１２に示す各細領域２３０内の画素のＣＭＹＫ値の平均を算出し、これを０〜１００階調の網点面積率に変換する。
【００７１】
図１２に示すように、細領域２３０は輪郭線２２０から若干離れて形成されている。これはＳ６において輪郭線２２０を膨張させた後、Ｓ７にて細領域２３０を抽出したためである。輪郭線２２０の近傍の色は、輪郭線２２０を跨いで急激に変化しており、印刷時に周囲の色の影響を受けて印刷色が変化しやすい。そこで、色情報としては、輪郭線２２０より若干離れた細領域２３０のものを取得し、周囲の色の影響による印刷色の変化がない範囲とする。
【００７２】
以上のようにして、色調制御装置１は、スクリーニング前画像データ２０２’から絵柄領域２１０を抽出して、絵柄領域２１０を細領域２３０に分割し、細領域２３０の色情報として０〜２５５階調のＣＭＹＫ値を０〜１００階調に変換した網点面積率を取得する。
【００７３】
この色情報は、例えばルックアップテーブル２００を用いた印刷色の調整に用いることができる。これを簡単に説明すると、まず、色見本の画像を、前記の刷版絵柄データ２０３から作成したＣＭＹＫ各色の版胴５１ｃを用いて印刷し、これをカメラ６で撮影する。
【００７４】
色調制御装置１は、この撮影画像６１（図９（ａ）参照）内の色見本の画像５０１を、スクリーニング前画像データ２０２’と位置合わせして、前記の各細領域２３０内にある画素のＲＧＢ値の平均値を算出する。そして、目標とするＲＧＢ値との差を求め、必要なＲＧＢ変化量とする。
【００７５】
なお、目標とするＲＧＢ値としては、例えばルックアップテーブル２００を参照し、前記した細領域２３０の網点面積率で特定される色を基準の印刷条件下で印刷し撮影した時のＲＧＢ値を取得し、これを用いることができる。
【００７６】
そして、色調制御装置１は、ルックアップテーブル２００を用いて、Ｓ１０で取得した各細領域２３０の網点面積率と、上記のＲＧＢ変化量に基づいて必要なインキキー変化量を算出する。そして、オペレーションスタンド４へ制御信号を送信し、各ユニット５１ａのインキキー５１３（図３参照）を上記インキキー変化量に従って変化させ、色見本の印刷色を目標値へと合わせ込む。
【００７７】
また、ルックアップテーブル２００の作成時にも色情報は活用できる。例えば色見本の画像を、ＣＭＹＫ各色のインキキーの開度を変えつつ複数回印刷し、各印刷物をカメラ６で撮影することにより、細領域２３０の網点面積率と単位インキキー変化量、および細領域２３０の印刷色の変化量の関係を得ることができるので、これをルックアップテーブル２００の作成に利用することができる。
【００７８】
以上説明したように、本実施形態によれば、スクリーニング前画像データ２０２’の絵柄領域２１０について、細領域２３０への領域分割を好適に行い、細領域２３０の色情報を、印刷物の撮影画像６１における細領域２３０の色情報と対応付けて比較できるようになり、各種の印刷制御に活用可能となる。また絵柄領域２１０のみの精度の高い領域分割を行い、分割された細領域２３０ごとの色情報を取得することが可能になり、印刷制御を好適に行うことができる。さらに、細領域２３０としては、輪郭線２２０から若干離れた領域が抽出されるので、印刷時に周囲の色が影響することがなく、上記した色情報の比較等に好適である。
【００７９】
また、本実施形態ではスクリーニング前画像データ２０２’にて細領域２３０への分割を行うので、各細領域２３０の色情報を、網点面積率を要素として含むルックアップテーブル２００を用いた印刷制御等に適用できる。
【００８０】
しかしながら、本発明はこれに限ることはない。例えば本実施形態ではオフセット輪転機５の例を説明したが、本発明はオフセット印刷機であれば適用することが可能であり、例えば枚葉紙を印刷するオフセット枚葉機に用いることも可能である。
【００８１】
［第２の実施形態］
次に、本発明の第２の実施形態について図１３を参照して説明する。図１３は領域分割時の画像処理の流れを示す図である。第２の実施形態は、Ｓ５で抽出した輪郭線２２０の収縮処理を行う点で第１の実施形態と異なる。その他は第１の実施形態と同様であるので説明を省略する。
【００８２】
すなわち、本実施形態では、Ｓ５における輪郭抽出後に、輪郭線２２０として不要な細いエッジ部分が現れているときなどに、輪郭線２２０の収縮処理を行う（Ｓ５’）ことにより、当該エッジ部分を除去する。
【００８３】
収縮処理についても、公知の手法を種々適用可能である。例えば、各画素につき、その周囲８画素に一つでも輪郭線２２０でない黒の画素があれば、当該画素を黒の画素とする処理を行う。これにより輪郭線２２０が収縮する。この収縮処理を必要数繰り返すことで、不要なエッジ部分を除去できる。なお、Ｓ６では、例えば上記の収縮処理を行った回数分、余分に膨張処理を繰り返す。
【００８４】
以上、添付図を参照しながら、本発明の実施形態を説明したが、本発明の技術的範囲は、前述した実施形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００８５】
１：色調制御装置（画像処理装置）
４：オペレーションスタンド
５：オフセット輪転機
６：カメラ
５０：用紙
１０１：サイズ変換手段
１０２：絵柄領域抽出手段
１０３：輪郭抽出手段
１０４：細領域抽出手段
２００：ルックアップテーブル
２０２：スクリーニング前画像データ
２０３：刷版絵柄データ
２１０：絵柄領域
２２０：輪郭線
２３０：細領域
【図１】
2015160420.tif 000003
【図２】
2015160420.tif 000004
【図３】
2015160420.tif 000005
【図４】
2015160420.tif 000006
【図５】
2015160420.tif 000007
【図６】
2015160420.tif 000008
【図７】
2015160420.tif 000009
【図８】
2015160420.tif 000010
【図９】
2015160420.tif 000011
【図１０】
2015160420.tif 000012
【図１３】
2015160420.tif 000013
【図１１】
2015160420.tif 000014
【図１２】
2015160420.tif 000015